(57)【特許請求の範囲】
【請求項１】
中央役物と、この中央役物の下方に配置された特別図柄始動スイッチを有する普通電動役物と、前記特別図柄始動スイッチを遊技球が通過することに基づいて複数種の図柄の内のいずれかを表示する特別図柄表示装置と、該特別図柄表示装置の表示結果に基づき、遊技者にとって有利な状態に変換可能な大入賞口と、普通図柄始動スイッチを遊技球が通過することに基づいて複数種の図柄の内のいずれかを表示する普通図柄表示装置とを備え、該普通図柄表示装置の表示結果に基づき、前記普通電動役物を遊技球が入賞し難い第１状態から回動翼片を開放して遊技球が入賞し易い第２状態に移行することにより遊技者に遊技価値を付与するパチンコ機において、
前記特別図柄表示装置及び普通図柄始動スイッチを球入口及び球出口を備える前記中央役物に設置し、前記普通図柄始動スイッチによって検出された遊技球を遊技盤の背面側である前記中央役物の中を通ってから遊技盤前面に戻し、前記特別図柄始動スイッチと普通図柄始動スイッチとを前記中央役物の球入口から球出口を経由して前記大入賞口までの遊技球が落下する領域に配置したことを特徴とするパチンコ機の盤面配置構造。
【発明の詳細な説明】
【０００１】
【発明の属する技術分野】
この発明は、パチンコ機の盤面配置構造に関し、特に特別図柄表示装置と普通図柄始動スイッチとを備えるパチンコ機の盤面配置構造に関するものである。
【０００２】
【従来の技術】
従来からパチンコ機には多種多様なものがあり、例えば遊技盤に遊技状態変換手段を設けたパチンコ機にも様々なのものがある。この遊技状態変換手段を大別すると、複数の図柄を表示可能な特別図柄表示装置を設け、この特別図柄表示装置が表示する図柄の組み合せ態様に基づいて大入賞口を開放するようにしたもの、所定条件が成立したときに回動翼片を繰り返し開閉することにより遊技者に有利な状態を創出するもの、権利状態にあるときに始動口に打球が入球すると大入賞口が開放するものがある。
【０００３】
また、遊技盤に球誘導路を形成し、この球誘導路の途中に球検出器を配設したパチンコ機として、例えば実開昭５５−７２９８６号公報がある。このパチンコ機は、セーフポケットを、球入口を有すると共に、遊技盤面に臨む球出口を有する形状と成し、その球入口と球出口との間に球検出器を配設したものである。
【０００４】
更に、遊技盤を流下する打球を可動部材の可動により他の入賞口へ誘導可能にしたものとして、例えば特開昭６３−１５００８５号公報がある。
【０００５】
【発明が解決しようとする課題】
しかしながら、上記のような遊技状態変換手段を単に設けたパチンコ機は遊技者に飽きられているのが現状であり、従来にない新規なゲームが可能なパチンコ機の開発が切望されている。そこで、上記遊技状態変換手段の他に、例えば電動役物を単に設けたのでは、遊技盤上が繁雑になるばかりではなく、上記電動役物を作動するためのスイッチ類を配置しなければならない。また、釘や誘導部材等により誘導路を形成すると、その誘導路の方向に打球が偏在し、例えば遊技状態変換手段の始動手段を構成する始動口へ向けた誘導路を形成すると、始動口へは入球し易くなるが、他の入賞口等へは入球し難く、結局、ゲームのバランスを欠いてパチンコ遊技の興趣が向上しない。
【０００６】
【課題を解決するための手段】
本発明は上記に鑑み提案されたもので、中央役物と、この中央役物の下方に配置された特別図柄始動スイッチを有する普通電動役物と、前記特別図柄始動スイッチを遊技球が通過することに基づいて複数種の図柄の内のいずれかを表示する特別図柄表示装置と、該特別図柄表示装置の表示結果に基づき、遊技者にとって有利な状態に変換可能な大入賞口と、普通図柄始動スイッチを遊技球が通過することに基づいて複数種の図柄の内のいずれかを表示する普通図柄表示装置とを備え、該普通図柄表示装置の表示結果に基づき、前記普通電動役物を遊技球が入賞し難い第１状態から回動翼片を開放して遊技球が入賞し易い第２状態に移行することにより遊技者に遊技価値を付与するパチンコ機において、前記特別図柄表示装置及び普通図柄始動スイッチを球入口及び球出口を備える前記中央役物に設置し、前記普通図柄始動スイッチによって検出された遊技球を遊技盤の背面側である前記中央役物の中を通ってから遊技盤前面に戻し、前記特別図柄始動スイッチと普通図柄始動スイッチとを前記中央役物の球入口から球出口を経由して前記大入賞口までの遊技球が落下する領域に配置したものである。
【０００７】
【発明の実施の形態】
以下本発明を図面の実施の形態について説明すると、図１はパチンコ機の遊技盤１、特にガイドレール２で囲まれる遊技部３の正面図である。
【０００８】
遊技部３には、ゲーム展開が遊技者にとって不利な第１状態と遊技者に有利な第２状態とに変換可能な遊技状態変換手段の構成要素である特別図柄表示装置４と、遊技者にとって小さな遊技価値を付与することとなる後述する可変入賞装置の作動手段を構成する普通図柄表示装置５及び該普通図柄表示装置５の普通図柄始動スイッチ６などを備える中央役物７を配置し、この中央役物７の下方に、入賞し難く遊技者に不利な第１状態と入賞し易く遊技者に有利な第２状態とに変換可能な可変入賞装置としての普通電動役物８を配置し、更にこの普通電動役物８の下方に、ゲーム展開が遊技者にとって不利な第１状態と遊技者に有利な第２状態とに変換可能な遊技状態変換手段の構成要素である大入賞口９を配置する。また、この大入賞口９の左右には、上記遊技状態変換手段を始動させるための始動手段を構成する特別図柄始動スイッチ１０を臨ませた特別図柄始動口１１を配置する。更に、遊技部３の適宜位置に、入賞口１２や風車１３、各種の表示灯１４、並びに多数の障害釘１５を配置し、最下位置にアウト口１６を開設する。
【０００９】
本発明における中央役物７は、図２ないし図６に示すように、開口部を有する取付基板１７の上部前面側に鎧部１８を突設し、該鎧部１８の上縁に取付基板１７の後方へ連通する天入賞口１９を開設し、この鎧部１８内に後述する普通図柄表示装置５と普通図柄始動記憶表示灯２０を設ける。また、取付基板１７の開口部の縁に沿って背面側に筒状の胴部２１を延設し、この胴部２１の後方に裏カバー２２を被着すると共に、開口部の下方部分の一部を残して透明な前カバー２３を被着して閉鎖空間部２４を形成する。
【００１０】
上記閉鎖空間部２４内の上方部分には、横三連に７セグメント発光ダイオードからなる表示器を配設して特別図柄表示装置４を構成する。また、閉鎖空間部２４の下部後方部分には、特別図柄始動記憶表示灯２５を構成する発光ダイオードを配置し、４個入賞まで記憶できるようになっている特別図柄の始動記憶を表示する。更に閉鎖空間部２４の下部には、凹状に緩く湾曲する棚板２６を設け、該棚板２６にはすり鉢状の円形凹部２７を設け、この円形凹部２７に例えば３個の落下口２８を開設する。この棚板２６の上面には、後縁の左右の角部から円形凹部２７に向かって緩く下り傾斜する球案内溝２９を設け、両後縁角部には上方から落下する球を球案内溝２９へガイドする球案内リブ３０を設ける。
【００１１】
そして、上記棚板２６の下方には、前縁が下がった底板３１を設けて、上記前カバー２３を被着した残りの部分を横長に開口する球出口３２として遊技部３の前面に臨ませる。
【００１２】
一方、上記鎧部１８の下方で閉鎖空間部２４の外側左右の取付基板１７には球入口３３を開設すると共に球受部３４を突設し、上記閉鎖空間部２４の上部側方を通るように球入口３３から裏カバー２２に向けて球案内樋３５を形成する。そして、この球案内樋３５の下端を上記閉鎖空間部２４内に設けた棚板２６の球案内リブ３０の上方に開口させる。また、この球案内樋３５の途中に、図示の実施の形態では球案内樋３５の下端に、通過型の球検出器を設ける。この球検出器は、普通図柄表示装置５の図柄の変動表示を開始させるための普通図柄始動スイッチ６であり、普通電動役物８からなる可変入賞装置の作動手段を構成している。
【００１３】
従って、遊技部３を流下する球が、球入口３３へ入球し、球案内樋３５を通って閉鎖空間部２４に流入すると、球は途中の球検出器（普通図柄始動スイッチ６）に作用した後、棚板２６の上に落下する。落下した球は球案内リブ３０と球案内溝２９とにより円形凹部２７に流入し、流入した直後は流下勢が充分にあるので円形凹部２７の縁に沿って周回するが、流下勢が弱まると何れかの落下口２８から底板３１上に落下し、球出口３２から再び遊技部３へ戻り、遊技部３を流下する。尚、中央の落下口２８から底板３１に落下すると、底板３１の中央部を通って球出口３２の中央から遊技盤１の中央部へ流下し、下方に設けた後述する普通電動役物８に流入する確率が高い。また、図示の実施の形態では、左側の球入口３３から流入する球の落下方向が安定するように球案内樋３５の下縁から棚板２６へ向けて球ガイド片３０′を垂設している。
【００１４】
上記中央役物７の下方に配置する普通電動役物８は、例えば図７（Ａ）〜（Ｄ）に示すような構造を有している。即ち、遊技盤１に取り付けるベース板３６と、球を遊技盤１の背面側に誘導する誘導部材として上記ベース板３６に設けられたポケット３７と、遊技者に不利な第１状態と遊技者に有利な第２状態とに変換可能する開閉部材として上記ポケット３７の上縁開口縁の左右に回動自在に設けられた一対の回動翼片３８とを有し、閉止状態にある回動翼片３８の先端部の間にスイッチ枠５７に取り付けた球検出器（例えば、特別図柄始動スイッチ１０）を有している。
【００１５】
上記打球を受入れるポケット３７はベース板３６の中央部の下半部に固定され、当該ベース板３６に開設した通孔３９に連通し、上方の球検出器に飛入した球及び開放状態にある回動翼片３８が形成する開口部に飛入した球を上記通孔３９を通して遊技盤１の背面側に誘導するように構成してある。尚、図示の実施の形態では、球検出器を通過した球が、ポケット３７内に落下するようになっているが、スイッチ枠５７に底部仕切板を設けることにより、回動翼片３８によりポケット３７内に流入すると球とは別個に遊技盤１の背面側に誘導することもできる。
【００１６】
そして、上記ポケット３７の前面には飾板４０を添設して当該ポケット３７及び回動翼片３８の前面側を覆うと共に、この飾板４０に２本の支軸４１を後方へ向けて植設し、回動翼片３８を回動自在に軸支する。
【００１７】
上記回動翼片３８は軸支側基端部分に凹部３８ａを設け、該凹部３８ａにベース板３６に開設した透孔を通して後述する揺動部材４２の揺動突起４２ａを遊嵌させる。この回動翼片３８を回動させる作動伝達機構は普通電動ソレノイド４３の励磁によって摺動するプランジャ４４の直線運動を回動翼片３８の回動運動に変換させるもので、プランジャ４４と連動杆４５と上記した揺動部材４２をピン４６で枢着してなる。尚、連動杆４５は普通電動ソレノイド４３の左右に２本配置してあり、揺動部材４２の左右両端に連絡してある。
【００１８】
上記のように構成された普通電動役物８は、常態において普通電動ソレノイド４３が消磁し、戻りスプリング４７の付勢によってプランジャ４４が後退し、揺動部材４２の揺動突起４２ａが上向きとなり（図７（Ｃ））、回動翼片３８は先端をスイッチ枠５７の側面に当接させている（図７（Ａ））。この状態では、遊技部３を流下する打球は球検出器にのみ飛入可能である。一方、普通電動ソレノイド４３を励磁するとプランジャ４４が摺動するので、連動杆４５を介して揺動部材４２が支軸４８を支点に揺動して揺動突起４２ａを下向きに回動させ、回動翼片３８を開放して球が流入し易い遊技者に有利な第２状態（図７（Ａ）の破線の状態）に変換して開口部を形成し、遊技部３を流下する打球は球検出器に作用することなく、ポケット３７に飛入でき、ベース板３６の通孔３９を通して遊技盤１の背面側に誘導可能である。
【００１９】
上記のように構成した普通電動役物８によれば、回動翼片３８が閉止した遊技者に不利な第１状態の時に球検出器に飛入する球と、回動翼片３８が開放して遊技者に有利な第２状態の時に球検出器を通過することなく回動翼片３８が形成する開口部に飛入する球とを分けることができ、同一の普通電動役物８内に入賞口の機能と始動口の機能を与えることができる。そして、上記球検出器に始動口としての機能を与えているので、始動口と所謂電動チューリップを一体化することができる。従って、遊技盤１上の取付スペースの削減や遊技盤１の裏面側における入賞球の処理、或は球検出器の設置や配線処理が簡単となり、取付作業や保守点検等が容易になり、実用的価値が高い。また、球検出器を通過した球と球検出器を通過することなく回動翼片３８の間に飛入した球とで払い出す賞球数が異なるように設定することができる。
【００２０】
尚、図示の実施の形態においては、普通電動役物８内にソレノイドを内蔵させているが、このソレノイドを遊技盤等に取り付け、リンク機構等を介して連絡する外付タイプとすることもできる。また、上記普通電動役物８は、この実施の形態では前述の特別図柄表示装置４の始動口に設定してあり、球検出器が特別図柄始動スイッチ１０として機能する。
【００２１】
そして、図示の実施の形態においては、上記した中央役物７の球入口３３から普通電動役物８までは、一つの球が通ることのできる一連の球通路であり、この球通路上に可変入賞装置である普通電動役物８の作動手段である普通図柄始動スイッチ６と、遊技状態変換手段の始動手段である特別図柄始動スイッチ１０とが位置する。
【００２２】
一方、上記普通電動役物８の下方には、ゲーム展開が遊技者にとって不利な第１状態と遊技者に有利な第２状態とに変換可能な遊技状態変換手段の構成要素である大入賞口９を配置する。この大入賞口９は、特定条件が成立すると可動する可動部材４９を有し、この可動部材４９により通常は球が入球しないように構成してある。また、大入賞口９には継続スイッチ５０を臨ませた特定領域を形成し、この特定領域を球が通過することを条件として、上記可動部材４９の可動状態を継続するように構成する。更に、大入賞口９に流入した全ての球を検出するように、最下流側に１０カウントスイッチ５１を臨ませ、現在までに何個の球が大入賞口９へ流入したかを、取付ベース５２の下部飾り部５３に設けた１０カウント表示灯５４により可視表示する。尚、図示の実施の形態では、特定領域を取付ベース５２の前面側のほゞ中央に突出状に形成し、この特定領域に通過型の球検出器を設けると共に、該球検出器の球通過口の上方に当該球通過口を覆うように閉止部材５５を摺動可能に設け、この閉止部材５５を駆動源である大入賞口ソレノイド（ＳＯＬ）にレバー機構を介して連絡してある。また、上記特定領域の左右には可動部材４９を設け、この可動部材４９を上記駆動源にレバー機構を介して連絡してあり、図示の実施の形態によれば、上記可動部材４９が特定領域に対して横方向に平行に移動するようにパンタグラフ状に構成してある。
【００２３】
尚、上記大入賞口９は、実施の形態の構成に限らず、特定条件が成立したときに遊技者に有利な状態に変換可能であって、少なくとも継続スイッチ５０が臨む特定領域と全ての球を検出可能な１０カウントスイッチ５１を備えていれば、どのような構成のものであってもよい。例えば、横長なゲートを有する所謂アタッカー形式の変動入賞装置等でもよい。
【００２４】
遊技者が発射した打球が、遊技部３を流下して入賞口１２、大入賞口９、天入賞口１９等に入賞すると１５個の賞球を払い出し、特別図柄始動口１１（普通電動役物８を含む）に入賞すると７個の賞球を払い出すように設定してある。
【００２５】
特別図柄始動口１１に打球が入賞すると、特別図柄始動スイッチ１０がオンし、特別図柄表示装置４が図柄の変動表示を開始し、所定時間（例えば約６．５秒以上）経過後、図柄を順次停止させ、当該特別図柄表示装置４が表示する図柄の組み合せ態様が予め定める当りの図柄と一致する場合、大入賞口９が例えば約３０秒間開放する。尚、１０カウントスイッチ５１が大入賞口９に流入した球を１０個検出すると、上記３０秒が経過する前であっても大入賞口９は閉じる。上記大入賞口９の開放中に球が特定領域に流入して継続スイッチ５０がオンすると、大入賞口９の開放を最高１６回まで繰り返し行うことができる。即ち、遊技者に有利にゲームが展開し、遊技者は多大な利益を得ることができる。
【００２６】
一方、遊技者が発射した打球が中央役物７に設けた球入口３３に入球すると、球案内樋３５を通って閉鎖空間部２４に落下し、途中の普通図柄始動スイッチ６がオンする。普通図柄始動スイッチ６がオンすると、普通図柄表示装置５が変動表示を開始し、約６．５秒以上経過すると変動表示を停止し、このとき表示する図柄が予め設定した図柄と一致する場合に、普通電動役物８が約５．５秒間開放する。尚、普通図柄表示装置５が複数桁の表示装置である場合は、図柄の組み合せ態様が所定の組み合せになったとき普通電動役物８を開放する。
【００２７】
普通電動役物８が開放すると、この普通電動役物８には、特別図柄始動スイッチ１０が設けてあるので、上記した遊技者に有利な状態に移行するチャンスがある。しかも、この特別図柄始動スイッチ１０のオンは最大４個までの記憶が可能であるので、より多くのチャンスが巡ってくる。尚、特別図柄始動記憶がある場合には、特別図柄表示装置４の下方に設けた特別図柄始動記憶表示灯２５により遊技者に可視表示する。
【００２８】
上記のようにして普通図柄始動スイッチ６をオンさせた球は閉鎖空間部２４内に落下し、円形凹部２７を周回することにより落下時間の引き延ばしを図り遊技者の期待感を高める。また、この球が再び遊技部３へ戻り、何れかの入賞口へ流入するチャンスがある。しかも、この実施の形態では、落下口２８の下方に特別図柄始動口１１を構成する普通電動役物８を配置してあるので、なおさら、遊技者の期待感を増大させる。
【００２９】
上記のような構成のパチンコ機によれば、一連の球通路上に普通図柄表示装置５の普通図柄始動スイッチ６と、特別図柄表示装置４の特別図柄始動スイッチ１０を配置したので、一つの打球が普通図柄始動スイッチ６と特別図柄始動スイッチ１０との両スイッチに作用する可能性があり、一つの打球の価値が高まる。また、一連の球通路を形成してあるので、遊技者はこの球通路の方向に打球を集中させることができれば、特別図柄始動口１１と普通図柄始動口５６（球入口３３）の両者を狙うことが可能になり、遊技の作戦を立て易い。一方、遊技店にしてみれば、遊技盤１の盤面に適度に打球が散るようにしておけばよいので、釘調整が容易になる。更に、本発明では、特別図柄表示装置４を設けた中央役物７に普通図柄始動スイッチ６を並設しているので、普通図柄始動口５６を遊技盤１に新たに設ける必要がなく、遊技盤１の盤面の構成を簡略にすることができるし、遊技盤１の裏面側における球誘導路や球寄せの構成が簡単になる。
【００３０】
尚、上記実施の形態では、球検出器を通過した球を中央役物７の内部を通して、遊技盤１の前面側へ誘導しているが、球を一旦遊技盤１の背面側を通してから遊技盤１の前面側の例えば普通電動役物８等の上方へ誘導するようにしてもよい。また、上記実施の形態における普通電動役物８は、普通図柄表示装置５の図柄が所定の図柄に一致したときに開放するように設定してあるが、球検出器を通過することにより、直接開放するようにしてもよい。
【００３１】
次に、上記のようなパチンコ遊技を制御する制御手段の一例を図８のブロック図により簡単に説明する。図８において、５８はデータの演算等に使用されるＲＡＭ等からなる中央演算処理装置（ＣＰＵ）、５９はＣＰＵ５８に所定のパルスを供給するクロック回路、６０はＣＰＵ５８をリセットするリセット回路、６１は電源投入時にＣＰＵ５８等を初期状態とする電源リセット回路、６２は上記リセット回路６０に所望のパルスを供給するための分周回路、６３は上記ＣＰＵ５８を作動させるためのプログラム及びデータが格納されているメモリー（ＰＲＯＭ）、６４は入出力制御装置、６５は特別図柄始動検出回路、６６は継続入賞検出回路、６７は普通図柄始動検出回路、６８は１０カウント検出回路、６９は大入賞口の可動部材を駆動する大入賞口ソレノイド駆動回路、７０は普通電動役物の回動翼片を駆動する普通電動ソレノイド駆動回路、７１は各種表示灯を駆動するランプ駆動回路、７２はゲームの状況に応じてスピーカ（ＳＰ）から効果音を発する電子音回路、７３はＬＥＤからなる表示灯を点灯するＬＥＤ駆動回路、７４は図柄表示装置を駆動する７セグＬＥＤ駆動回路である。尚、上記ランプ駆動回路７１、電子音回路７２は、例えば普通図柄始動スイッチ６や特別図柄始動スイッチ１０がオンしたときに、それぞれの表示灯を点灯或は点滅させたり、異なる効果音を出力して作動状態を区別している。
【００３２】
以上、本発明を図面の実施の形態について説明したが、本発明は上記した実施の形態に限定されるものではなく、特許請求の範囲に記載した構成を変更しない限り適宜に実施できる。
【００３３】
【発明の効果】
本発明は、中央役物と、この中央役物の下方に配置された特別図柄始動スイッチを有する普通電動役物と、前記特別図柄始動スイッチを遊技球が通過することに基づいて複数種の図柄の内のいずれかを表示する特別図柄表示装置と、該特別図柄表示装置の表示結果に基づき、遊技者にとって有利な状態に変換可能な大入賞口と、普通図柄始動スイッチを遊技球が通過することに基づいて複数種の図柄の内のいずれかを表示する普通図柄表示装置とを備え、該普通図柄表示装置の表示結果に基づき、前記普通電動役物を遊技球が入賞し難い第１状態から回動翼片を開放して遊技球が入賞し易い第２状態に移行することにより遊技者に遊技価値を付与するパチンコ機において、前記特別図柄表示装置及び普通図柄始動スイッチを球入口及び球出口を備える前記中央役物に設置し、前記普通図柄始動スイッチによって検出された遊技球を遊技盤の背面側である前記中央役物の中を通ってから遊技盤前面に戻し、前記特別図柄始動スイッチと普通図柄始動スイッチとを前記中央役物の球入口から球出口を経由して前記大入賞口までの遊技球が落下する領域に配置したので、普通図柄始動口を遊技盤面に新たに設ける必要がなく、遊技盤の盤面の構成を簡略にすることができる。また、遊技盤の裏面側における球誘導路や球寄せの構成が簡単になる。従って、遊技盤上の取付スペースの削減や遊技盤の裏面側における入賞球の処理、或は球検出器の設置や配線処理が簡単となり、取付作業や保守点検等が容易になり、実用的価値が高い。
【図面の簡単な説明】
【図１】遊技盤の正面図である。
【図２】中央役物の正面図である。
【図３】中央役物の平面図である。
【図４】中央役物の縦断面図である。
【図５】図２のＡ−Ａ線断面図である。
【図６】棚板の平面図である。
【図７】普通電動役物を示し、（Ａ）は正面図、（Ｂ）は横断面図、（Ｃ）は回動翼片が閉じた状態の縦断面図、（Ｄ）は回動翼片が開いた状態の縦断面図である。
【図８】制御手段のブロック図である。
【符号の説明】
１  遊技盤
４  遊技状態変換手段の構成要素としての特別図柄表示装置
５  可変入賞装置の作動手段の構成要素としての普通図柄表示装置
６  可変入賞装置の作動手段の構成要素としての普通図柄始動スイッチ
８  可変入賞装置を構成する普通電動役物
９  遊技状態変換手段の構成要素としての大入賞口
１０  球検出器としての特別図柄始動スイッチ
３６  ベース板
３７  誘導部材としてのポケット
３８  開閉部材としての回動翼片
【図１】
0003547682.tif 000002
【図２】
0003547682.tif 000003
【図３】
0003547682.tif 000004
【図４】
0003547682.tif 000005
【図５】
0003547682.tif 000006
【図６】
0003547682.tif 000007
【図７】
0003547682.tif 000008
【図８】
0003547682.tif 000009